(57)【要約】【課題】複数のウインドウを表示させて行う読影や診断等の効率化を図ることが可能な医用情報閲覧装置を提供する。【解決手段】実施形態に記載の医用情報閲覧装置は、表示部と、表示制御部と、第１判定部と、調整部とを有する。表示制御部は、複数のウインドウを表示部の表示画面に表示させる。第１判定部は、表示画面に少なくとも一つの第１ウインドウが表示された状態で、表示画面に第２ウインドウも表示させるときに、第１ウインドウの表示領域及び第２ウインドウの表示条件に基づいて、表示画面に第２ウインドウを表示可能な領域があるか否かを判定する。調整部は、第２ウインドウを表示可能な領域が無いと判定された場合に、第１ウインドウ及び第２ウインドウが表示画面に表示されるように、その表示条件を調整可能か否か判断し、表示条件を調整可能と判断した場合に、表示条件を調整する。【選択図】図２
2013218675.tif 000002
【特許請求の範囲】
【請求項１】
表示部と、
予め定められた表示サイズをそれぞれ有する複数のウインドウを前記表示部の表示画面に表示させる表示制御部と、
前記表示画面に少なくとも一つの第１ウインドウが表示された状態で、その表示画面に第２ウインドウも表示させるときに、前記第１ウインドウの表示領域及び前記第２ウインドウの表示条件に基づいて、前記表示画面に前記第２ウインドウを表示可能な領域があるか否かを判定する第１判定部と、
前記第２ウインドウを表示可能な領域が無いと判定された場合に、前記第１ウインドウ及び前記第２ウインドウが前記表示画面に表示されるように、前記第１ウインドウ及び／又は前記第２ウインドウの表示条件を調整可能か否か判断し、前記表示条件を調整可能と判断した場合に、前記表示条件を調整する調整部と、
前記表示条件が調整不可能と判断された場合に、前記第１ウインドウ中の特定領域及び前記第２ウインドウ中の特定領域に基づいて、前記第１ウインドウと前記第２ウインドウとの重畳表示が可能か否かを判定する第２判定部と、
を有し、
更に、前記調整部は、前記重畳表示が不可能と判定された場合に、前記第１ウインドウ中の特定領域及び前記第２ウインドウ中の特定領域が少なくとも前記表示画面に表示されるように、前記第１ウインドウ及び／又は前記第２ウインドウそれぞれの最小表示サイズに基づいて、前記第１ウインドウ及び前記第２ウインドウの表示サイズを調整することを特徴とする医用情報閲覧装置。
【請求項２】
前記表示制御部は、前記ウインドウの表示条件の調整が不可能と判断された場合に、前記第１ウインドウ及び／又は前記第２ウインドウをサムネイル表示させることを特徴とする請求項１記載の医用情報閲覧装置。
【請求項３】
前記表示制御部は、前記重畳表示が不可能と判定された場合に、前記第１ウインドウ及び／又は前記第２ウインドウをサムネイル表示させることを特徴とする請求項２記載の医用情報閲覧装置。
【請求項４】
前記最小表示サイズは、そのウインドウ中の医用情報を認識することが可能な最小のウインドウ全体の表示サイズであることを特徴とする請求項１記載の医用情報閲覧装置。
【請求項５】
前記最小表示サイズは、前記第１ウインドウ及び前記第２ウインドウそれぞれに表示される医用画像のサイズに基づいて決定されることを特徴とする請求項１記載の医用情報閲覧装置。
【請求項６】
前記医用画像のサイズは、当該医用画像におけるアノテーションが付加された医用画像中の注目領域のサイズに基づいて決定されることを特徴とする請求項４または請求項５記載の医用情報閲覧装置。
【請求項７】
前記調整部は、前記第１ウインドウ及び／又は前記第２ウインドウそれぞれが過去に表示されたときの表示サイズに基づいて、前記第１ウインドウ及び前記第２ウインドウの表示サイズを調整することを特徴とする請求項１記載の医用情報閲覧装置。
【請求項８】
前記調整部は、予め設定された優先度に基づいて、表示サイズを調整するウインドウを選択し、その表示サイズを調整することを特徴とする請求項４から７のいずれかに記載の医用情報閲覧装置。
【請求項９】
前記調整部は、前記表示条件として、前記表示サイズと併せて、前記表示画面における前記第１ウインドウ及び／又は第２ウインドウの表示位置を調整することを特徴とする請求項４から８のいずれかに記載の医用情報閲覧装置。
【請求項１０】
前記調整部は、
前記第１ウインドウ又は前記第２ウインドウの表示条件が変更されたときに、前記表示画面において前記第１ウインドウ又は前記第２ウインドウが表示されていない領域を特定する特定部を有し、
前記特定部による特定結果に基づいて、前記第１ウインドウ又は前記第２ウインドウの表示条件を調整し、
前記表示制御部は、前記調整部により調整された前記第１ウインドウ又は前記第２ウインドウを前記表示画面に表示させることを特徴とする請求項１から９のいずれかに記載の医用情報閲覧装置。
【請求項１１】
前記表示画面に前記第１ウインドウが表示された状態で、その表示画面に前記第２ウインドウも表示させるときに、前記第１ウインドウに関連付けられた識別情報と前記第２ウインドウに関連付けられた識別情報とが異なるか否かを判断する判断部を更に有し、
前記表示制御部は、前記識別情報が異なると判断された場合に、前記第１ウインドウの表示を終了させ、且つ前記第２ウインドウを表示させることを特徴とする請求項１から１０のいずれかに記載の医用情報閲覧装置。
【請求項１２】
前記優先度は病院における検査科毎にそれぞれ定められることを特徴とする請求項８記載の医用情報閲覧装置。
【請求項１３】
前記病院における診療科では電子カルテのウインドウを前記優先度とし、放射線科では、検査画像のウインドウを前記優先度とすることを特徴とする請求項１２記載の医用情報閲覧装置。
【請求項１４】
表示部と、
医用情報が表示される表示領域を有する複数のウインドウを前記表示部の表示画面に表示させる表示制御部と、
前記表示画面に少なくとも一つの第１ウインドウが表示された状態で、その表示画面に第２ウインドウも表示させるときに、前記第１ウインドウの表示領域及び前記第２ウインドウの表示条件に基づいて、前記表示画面に前記第２ウインドウを表示可能な領域があるか否かを判定する第１判定部と、
前記第２ウインドウを表示可能な領域が無いと判定された場合に、前記第１ウインドウ及び前記第２ウインドウが前記表示画面に表示されるように、前記第１ウインドウ及び／又は前記第２ウインドウの表示条件を調整可能か否か判断し、前記表示条件を調整可能と判断した場合に、前記表示条件を調整する調整部と、
前記表示条件が調整不可能と判断された場合に、前記第１ウインドウ中の表示領域及び前記第２ウインドウ中の表示領域に基づいて、前記第１ウインドウと前記第２ウインドウとの重畳表示が可能か否かを判定する第２判定部と、
を有し、
更に、前記調整部は、前記重畳表示が不可能と判定された場合に、少なくとも一方の前記表示領域に表示される医用情報の全部または一部の位置を調整することを特徴とする医用情報閲覧装置。
【請求項１５】
前記調整部は、前記第１ウインドウ及び前記第２ウインドウの表示サイズの調整と共に、または前記表示サイズの調整とは独立して、前記医用情報の全部または一部の位置を調整することを特徴とする請求項１４記載の医用情報閲覧装置。
【請求項１６】
前記調整部は、前記医用情報が認識することが可能なように、前記医用情報の全部または一部の位置を調整することを特徴とする請求項１４または１５記載の医用情報閲覧装置。
【発明の詳細な説明】
【技術分野】
【０００１】
本発明の実施形態は、医用情報閲覧装置に関する。
【背景技術】
【０００２】
医療分野においては、専門分野が細分化されている。たとえば、医用画像撮影装置（Ｘ線ＣＴ装置、ＭＲＩ装置等）により取得された医用画像の読影を専門医（読影医）に依頼することが広く行われている。読影医は、複数の医用画像を確認しながら、その所見を読影レポートとしてまとめる作業を行う。
【０００３】
また、診療科の医師は、医用画像撮影装置により取得された画像や検査装置で得られた検査結果等を参照しながら電子カルテへの入力作業を行う。
【０００４】
近年、病院内では、多くの検査科で各科に特化したシステムの導入が進められている。読影医が読影レポートを作成する場合や、診療科の医師が電子カルテの入力を行う場合等には、同一の端末における表示画面に各科のシステムで得られた医用情報を複数のウインドウで表示させる。これらのシステムは、各検査科に特化したシステムである。また、これらのシステムは、異なるベンダーによって製造されたシステムであることが多い。よって、複数の医用情報を参照するためには、各システムに対応する専用のアプリケーションをそれぞれ起動し、複数のウインドウを表示させなければならない。
【先行技術文献】
【特許文献】
【０００５】
【特許文献１】特開平２−１２４５９６号公報
【特許文献２】特開平７−２５３８６８号公報
【特許文献３】特開平８−３１４６７７号公報
【発明の概要】
【発明が解決しようとする課題】
【０００６】
ここで、複数のウインドウを同一の端末における表示画面に表示させると、ウインドウの一部が隠れる可能性がある。この場合、たとえば隠れたウインドウに表示された画像が見難くなる等、読影レポートの作成や医師の診断に影響を及ぼす可能性がある。よって、医師等は、表示された複数のウインドウを切り替えて交互に参照したり、各ウインドウを別々のディスプレイに表示させたり、それぞれのウインドウが見易くなるようにそのサイズや表示位置を手動で調整していた。しかし、この作業は、煩雑であり、読影や診断の効率を低下させている。
【０００７】
実施形態は、前述の問題点を解決するためになされたもので、複数のウインドウを表示させて行う読影や診断等の効率化を図ることが可能な医用情報閲覧装置を提供することを目的とする。
【課題を解決するための手段】
【０００８】
上記課題を解決するために、実施形態に記載の医用情報閲覧装置は、表示部と、表示制御部と、第１判定部と、調整部とを有する。表示制御部は、予め定められた表示サイズをそれぞれ有する複数のウインドウを表示部の表示画面に表示させる。第１判定部は、表示画面に少なくとも一つの第１ウインドウが表示された状態で、表示画面に第２ウインドウも表示させるときに、第１ウインドウの表示領域及び第２ウインドウの表示条件に基づいて、表示画面に第２ウインドウを表示可能な領域があるか否かを判定する。調整部は、第２ウインドウを表示可能な領域が無いと判定された場合に、第１ウインドウ及び第２ウインドウが表示画面に表示されるように、第１ウインドウ及び／又は第２ウインドウの表示条件を調整可能か否か判断し、表示条件を調整可能と判断した場合に、表示条件を調整する。
【０００９】
また、上記課題を解決するために、実施形態に記載の医用情報閲覧装置は、表示部と、表示制御部と、第１判定部と、調整部と、第２判定部とを有する。表示制御部は、予め定められた表示サイズをそれぞれ有する複数のウインドウを表示部の表示画面に表示させる。第１判定部は、表示画面に少なくとも一つの第１ウインドウが表示された状態で、その表示画面に第２ウインドウも表示させるときに、第１ウインドウの表示領域及び第２ウインドウの表示条件に基づいて、表示画面に第２ウインドウを表示可能な領域があるか否かを判定する。調整部は、第２ウインドウを表示可能な領域が無いと判定された場合に、第１ウインドウ及び第２ウインドウが表示画面に表示されるように、第１ウインドウ及び／又は第２ウインドウの表示条件を調整可能か否か判断し、表示条件を調整可能と判断した場合に、表示条件を調整する。第２判定部は、表示条件が調整不可能と判断された場合に、第１ウインドウ中の特定領域及び第２ウインドウ中の特定領域に基づいて、第１ウインドウと第２ウインドウとの重畳表示が可能か否かを判定する。更に、調整部は、重畳表示が可能と判定された場合に、第１ウインドウ中の特定領域及び第２ウインドウ中の特定領域が少なくとも表示画面に表示されるように、第１ウインドウ及び／又は第２ウインドウの表示条件を調整する。
【図面の簡単な説明】
【００１０】
【図１】第１実施形態に係る医用情報システムを示す全体図である。
【図２】第１実施形態に係る電子カルテ装置を示す図である。
【図３Ａ】第１実施形態に係る表示画面の一例を示す図である。
【図３Ｂ】第１実施形態に係る表示画面の一例を示す図である。
【図３Ｃ】第１実施形態に係る表示画面の一例を示す図である。
【図３Ｄ】第１実施形態に係る表示画面の一例を示す図である。
【図３Ｅ】第１実施形態に係る表示画面の一例を示す図である。
【図３Ｆ】第１実施形態に係る表示画面の一例を示す図である。
【図３Ｇ】第１実施形態に係る表示画面の一例を示す図である。
【図３Ｈ】第１実施形態に係る表示画面の一例を示す図である。
【図３Ｉ】第１実施形態に係る表示画面の一例を示す図である。
【図３Ｊ】第１実施形態に係る表示画面の一例を示す図である。
【図４Ａ】第１実施形態に係るテーブル情報の一例を示す図である。
【図４Ｂ】第１実施形態に係るテーブル情報の別例を示す図である。
【図５】第１実施形態に係る電子カルテ装置の動作を示すフローチャートである。
【図６】第２実施形態に係る電子カルテ装置を示す図である。
【図７Ａ】第２実施形態に係る表示画面の一例を示す図である。
【図７Ｂ】第２実施形態に係る表示画面の一例を示す図である。
【図７Ｃ】第２実施形態に係る表示画面の一例を示す図である。
【図７Ｄ】第２実施形態に係る表示画面の一例を示す図である。
【図７Ｅ】第２実施形態に係る表示画面の一例を示す図である。
【図７Ｆ】第２実施形態に係る表示画面の一例を示す図である。
【図７Ｇ】第２実施形態に係る表示画面の一例を示す図である。
【図７Ｈ】第２実施形態に係る表示画面の一例を示す図である。
【図８】第２実施形態に係るテーブル情報の一例を示す図である。
【図９】第２実施形態に係る電子カルテ装置の動作を示すフローチャートである。
【図１０】第３実施形態に係る電子カルテ装置を示す図である。
【図１１Ａ】第３実施形態に係る表示画面の一例を示す図である。
【図１１Ｂ】第３実施形態に係る表示画面の一例を示す図である。
【図１１Ｃ】第３実施形態に係る表示画面の一例を示す図である。
【図１１Ｄ】第３実施形態に係る表示画面の一例を示す図である。
【図１２】第３実施形態に係る電子カルテ装置の動作を示すフローチャートである。
【図１３】第４実施形態に係る電子カルテ装置を示す図である。
【図１４Ａ】第４実施形態に係る表示画面の一例を示す図である。
【図１４Ｂ】第４実施形態に係る表示画面の一例を示す図である。
【図１５】第４実施形態に係る電子カルテ装置の動作を示すフローチャートである。
【図１６】重畳表示の一例を示す図である。
【図１７】表示画面の空き領域に対応するウインドウの表示サイズ及びそのウインドウに移動すべき医用情報の一例を示す図である。
【図１８】表示画面の空き領域に表示されたウインドウ及びその表示領域に表示された医用情報の一例を示す図である。
【発明を実施するための形態】
【００１１】
＜第１実施形態＞
図１から図５を参照して、本実施形態に係る医用情報閲覧装置（電子カルテ装置６の一部）の構成について説明する。
【００１２】
［医用情報システム１の全体構成］
図１に示すように、医用情報システム１は、医用画像撮影装置２、医用検査装置３、レポート作成装置４、病理診断装置５、電子カルテ装置６、画像閲覧装置７、及び医用情報保管装置８を含んで構成されている。これらの装置間はＬＡＮ（Ｌｏｃａｌ  Ａｒｅａ  Ｎｅｔｗｏｒｋ）等のネットワークＮを介して通信可能に接続されている。装置間の通信は、医用画像の標準規格であるＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）に準拠することが望ましいが、適宜、他の標準規格を適用してもよい。情報通信は、業界標準規格のＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）通信で、データはネットワークＮを介してパケット（転送する情報の基本単位）でやり取りされる。
【００１３】
医用画像撮影装置２は、Ｘ線撮影装置、Ｘ線ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、上部（下部）内視鏡装置等の撮影装置である。これらの撮影装置で被検体を撮影することにより、医用画像を取得することができる。取得された医用画像は、たとえばＤＩＣＯＭに準拠したファイル形式で医用情報保管装置８に送信される。送信される医用画像には、患者ＩＤ、その医用画像を取得した日付、撮影条件等その医用画像に付随する画像関連情報（識別情報）が含まれている。なお、「画像」と「画像データ」は一対一に対応するので、本実施形態においては、これらを同一視する場合がある。
【００１４】
医用検査装置３は、血液検査装置、心電計等の検査装置である。検査結果を処理するため、各装置においては、専用のアプリケーションソフトウェアが用いられる。これらの検査装置で取得された検査情報は、医用情報保管装置８に送信される。送信される検査情報には、患者ＩＤ、検査を行った日付、検査条件等その検査結果に付随する情報が含まれている。
【００１５】
レポート作成装置４は、読影医等からの指示入力に基づき、その表示部に表示された医用画像に関する所見を記録し、読影レポートを作成するための装置である。レポート作成装置４は、所謂コンピュータであり、ＣＰＵ（Ｃｅｎｔｒａｌ  Ｐｒｏｃｅｓｓｉｎｇ  Ｕｎｉｔ。図示なし）、ＲＯＭ（Ｒｅａｄ  Ｏｎｌｙ  Ｍｅｍｏｒｙ。図示なし）、ＲＡＭ（Ｒａｎｄｏｍ  Ａｃｃｅｓｓ  Ｍｅｍｏｒｙ。図示なし）、及び表示部（図示なし）等を含んで構成されている。レポート作成装置４は、専用のアプリケーションソフトウェアにより所定の処理を実行する。作成された読影レポートは、医用情報保管装置８に送信される。読影レポートには、患者ＩＤ等の情報が付加されている。
【００１６】
病理診断装置５は、表示部に表示された医用画像に対する病理診断を行い、病理診断情報を取得するための装置である。病理診断装置５は、所謂コンピュータであり、ＣＰＵ（図示なし）、ＲＯＭ（図示なし）、ＲＡＭ（図示なし）、及び表示部（図示なし）等を含んで構成されている。病理診断装置５は、専用のアプリケーションソフトウェアにより所定の処理を実行する。取得された病理診断情報は、医用情報保管装置８に送信される。病理診断情報には、患者ＩＤ等の情報が付加されている。
【００１７】
電子カルテ装置６は、従来、医師が紙に直接記入することにより作成されていたカルテを電子的に作成・処理するための装置である。電子カルテ装置６は、所謂コンピュータであり、ＣＰＵ６２（後述）、ＲＯＭ（図示なし）、ＲＡＭ（図示なし）、及び表示部６３（後述）等を含んで構成されている。電子カルテ装置６は、専用のアプリケーションソフトウェアにより所定の処理を実行する。作成された電子カルテは、医用情報保管装置８に送信される。電子カルテには、患者ＩＤ等の情報が付加されている。
【００１８】
画像閲覧装置７は、医用画像を閲覧するための装置である。画像閲覧装置７は、所謂コンピュータであり、ＣＰＵ（図示なし）、ＲＯＭ（図示なし）、及びＲＡＭ（図示なし）等を含んで構成されている。画像閲覧装置７は、医用情報保管装置８から医用画像を受信し、画像ビューワと呼ばれるアプリケーションソフトウェアにて表示することができる。
【００１９】
医用情報保管装置８は、各種装置から送信された医用情報を保管するための装置である。医用情報保管装置８は、所謂コンピュータであり、ＣＰＵ（図示なし）、ＲＯＭ（図示なし）、ＲＡＭ（図示なし）及び大容量の記憶装置（図示なし）等を含んで構成されている。
【００２０】
［電子カルテ装置の構成］
図２は、本実施形態に係る電子カルテ装置６の詳細を示すブロック図である。電子カルテ装置６は、入力部６１と、ＣＰＵ６２と、表示部６３とを含んで構成されている。
【００２１】
（入力部）
入力部６１は、電子カルテ装置６において各種の指示入力を行うために設けられている。入力部６１は、たとえば、キーボード、マウス、トラックボール、ジョイスティック等により構成される。また、入力部６１として、表示部６３等に表示されたＧＵＩ（Ｇｒａｐｈｉｃａｌ  Ｕｓｅｒ  Ｉｎｔｅｒｆａｃｅ）を用いることも可能である。
【００２２】
（ＣＰＵ）
本実施形態において、ＣＰＵ６２は、専用のアプリケーションソフトウェアにより、取得部６２１、電子カルテ作成部６２２、処理部６２３、及び表示制御部６２４として機能する。
【００２３】
取得部６２１は、入力部６１等からの指示入力に基づいて、電子カルテ、医用画像及び検査情報等の医用情報を医用情報保管装置８から取得する。具体例として、入力部６１により患者ＩＤが入力された場合、取得部６２１は、その患者ＩＤに対応する電子カルテを医用情報保管装置８から読み出す。読み出された電子カルテは、予め定められた表示条件（後述）に基づき、表示制御部６２４により表示画面６３ａにウインドウで表示される。また、その患者ＩＤに関連する医用画像や検査情報がある場合、取得部６２１は、医用情報保管装置８からそれらの情報を読み出し、医用情報の項目のみ（「内視鏡画像」、「血液検査情報」、「読影レポート」等）をリスト化する。リストは、表示制御部６２４によりたとえば電子カルテ中に表示される。入力部６１等により、そのリストからある項目が選択されると、表示制御部６２４は、そのリストに対応する医用情報が示されたウインドウを表示画面６３ａに表示させる（複数のウインドウを表示させる処理についての詳細は後述する）。ウインドウの表示条件は、各装置によって予め定められている。「表示条件」とは、表示画面６３ａにウインドウを表示するための条件をいう。ウインドウの表示サイズ、表示形状、及び表示位置は、「表示条件」の一例である。
【００２４】
電子カルテ作成部６２２は、入力部６１等からの指示入力に基づいて、表示画面６３ａに表示された電子カルテに診断内容等を記入する。具体例として、入力部６１がキーボードからなる場合、電子カルテ作成部６２２は、医師により押下された文字キーに対応付けられた文字を電子カルテの入力欄に電子データとして記録することにより、診断の内容を記入する。
【００２５】
処理部６２３は、取得部６２１により取得された医用情報を示すウインドウに対して各種の処理を行う。本実施形態における処理部６２３は、第１判定部６２３ａと、調整部６２３ｂとを含んで構成されている。
【００２６】
第１判定部６２３ａは、表示画面６３ａに少なくとも一つの第１ウインドウが表示された状態で、その表示画面６３ａに第２ウインドウも表示させるときに、第１ウインドウの表示領域及び第２ウインドウの表示条件に基づいて、表示画面６３ａに第２ウインドウを表示可能な領域があるか否かを判定する。本実施形態において、「第１ウインドウ」とは、表示画面６３ａに先に表示されたウインドウをいう。「第２ウインドウ」とは、表示画面６３ａに第１ウインドウが表示された状態において、新たに表示されるウインドウをいう。
【００２７】
具体例として、表示画面６３ａに第１ウインドウとして電子カルテのウインドウＷ１が表示された状態（図３Ａ参照）において、第２ウインドウとして血液検査情報のウインドウＷ２を表示させる指示がなされた場合について述べる。
【００２８】
表示画面６３ａにウインドウＷ１が表示された状態において、入力部６１等からの指示入力により、血液検査情報が選択されると、第１判定部６２３ａは、表示画面６３ａにおけるウインドウＷ１の表示領域をエッジ検出等の画像処理によって取得し、それ以外の表示画面６３ａの領域を空き領域Ｖ１（ウインドウＷ１が表示されていない領域）として特定する（図３Ａ参照）。第１判定部６２３ａは、空き領域Ｖ１と血液検査情報のウインドウＷ２の予め定められた表示条件とを比較し、空き領域Ｖ１にウインドウＷ２を表示可能かどうか判定する。
【００２９】
空き領域Ｖ１にウインドウＷ２を表示不可能な場合、第１判定部６２３ａは、表示画面６３ａ中でウインドウＷ１を移動させた場合に生じる空き領域Ｖ２のサイズを特定し、空き領域Ｖ２にウインドウＷ２を表示できるかどうかを判定する（図３Ｂ参照）。ウインドウＷ１の移動は、第１判定部６２３ａの判定結果（たとえば、空き領域Ｖ１にウインドウＷ２を表示不可能との判定結果）に基づいて、表示制御部６２４により自動で行われる。或いは、ウインドウＷ１の移動は、入力部６１等を介して任意に行うことが可能である。
【００３０】
第１判定部６２３ａは、これらの判定結果を調整部６２３ｂに送る。なお、空き領域Ｖ１にウインドウＷ２を表示不可能な場合に第１判定部６２３ａが行う上記判定は、その処理を省略することが可能である。
【００３１】
第１判定部６２３ａにおいて、ウインドウＷ２を表示可能な領域（空き領域Ｖ１、Ｖ２）が無いと判定された場合に、調整部６２３ｂは、ウインドウＷ１及びウインドウＷ２が表示画面６３ａに表示されるように、ウインドウＷ１及び／又はウインドウＷ２の表示条件を調整する。
【００３２】
具体例として、調整部６２３ｂが、表示条件としてウインドウの表示サイズを調整する場合について説明する。本実施形態において、ウインドウＷ１が表示画面６３ａに表示されている状態（図３Ｂ参照）では、予め定められた表示サイズで血液検査情報のウインドウＷ２全体を表示させることはできない。仮に、予め定められた表示サイズでウインドウＷ２を表示させた場合には、ウインドウＷ１とウインドウＷ２が重畳される重畳領域Ｓが生じる（図３Ｃ参照）。このようにウインドウが重畳されると重畳領域Ｓに示された医用情報を確認し難くなる。
【００３３】
この場合、調整部６２３ｂは、ウインドウＷ１及びウインドウＷ２の最小表示サイズの情報に基づき、各ウインドウを最小表示サイズにした場合に、ウインドウＷ１及びウインドウＷ２を表示画面６３ａに表示できるかどうかを判断する。「最小表示サイズ」とは、予め定められた値であって、表示画面６３ａにウインドウを表示した際に、そのウインドウ中の医用情報を認識することが可能な最小のウインドウ全体の表示サイズである。
【００３４】
具体例として、調整部６２３ｂは、ウインドウＷ１及びウインドウＷ２の最小表示サイズの和が表示画面６３ａのサイズ以下かどうかを判断する。ウインドウＷ１及びウインドウＷ２を表示できると判断した場合（表示条件を調整可能と判断した場合）、調整部６２３ｂは、記憶部（図示なし）に記憶された予め定められた優先度に関するテーブル情報Ｔ１（図４Ａ参照）を読み出す。そして、調整部６２３ｂは、その優先度に基づいて、表示サイズを変更するウインドウを特定し、その表示サイズを調整する。「テーブル情報」は、アプリケーションとその優先度とを関連付けた情報である。テーブル情報Ｔ１においては、「１」が最も高い優先度を示す。また、数字が大きくなるほど優先度は低くなる。
【００３５】
本実施形態では、テーブル情報Ｔ１に示すように、血液検査情報の優先度よりも電子カルテの優先度が高い。よって、調整部６２３ｂは、血液検査情報のウインドウＷ２を縮小させる調整を行う。表示制御部６２４は、調整部６２３ｂによる調整結果に基づいて、血液検査情報のウインドウＷ´２を表示画面６３ａに表示させる（図３Ｄ参照）。
【００３６】
調整部６２３ｂによるウインドウの表示サイズの調整は、空き領域に関わらず最小表示サイズまで縮小してもよいし、第１判定部６２３ａで特定された空き領域に合わせて（たとえば、空き領域において表示できる最大サイズまで）縮小させることも可能である。図３Ｄは、空き領域Ｖ２に合わせてウインドウＷ２を縮小させて表示した例である。
【００３７】
表示サイズを調整するウインドウは、一方のウインドウに限られない。たとえば、調整部６２３ｂは、ウインドウＷ１及びウインドウＷ２の双方を縮小してもよい。或いは、調整部６２３ｂは、優先度の高いウインドウＷ１を現在の表示サイズよりも拡大しつつ、優先度の低いウインドウＷ２を縮小させる調整を行うことも可能である。また、テーブル情報に定められた優先度によらず、ウインドウを表示させる都度、入力部６１等からの指示入力に基づいて、調整対象となるウインドウを選択することも可能である。
【００３８】
最小表示サイズは、ウインドウ全体の表示サイズに限られない。たとえば、内視鏡検査情報を表示するウインドウ等、医用画像が表示されているウインドウでは、ウインドウの表示サイズを縮小する場合に、他の付加情報（検査条件等）よりも医用画像を優先的に大きく表示させたいという要望がある。この場合、最小表示サイズは、医用画像のサイズに基づいて決定されてもよい。医用画像のサイズは、画像の縦×横のピクセル数に依存する。医用画像のサイズは、医用画像全体のサイズだけでなく、医用画像中の一部領域のサイズ（たとえばアノテーションが付加された医用画像中の注目領域のサイズ）も含む。
【００３９】
また、「最小表示サイズ」がピクセル等倍で表示可能なサイズである場合、「最小表示サイズ」であっても、必要な情報が表示できないときがある。
【００４０】
図３Ｇ〜Ｊは、表示画面の一例を示す図である。図３Ｇおよび図３Ｈに示すように、画素情報の欠如がないとき、調整部６２３ｂによりピクセル等倍（拡大率１倍）まで画像縮小を行う。図３Ｇに拡大率１．５倍の画像を示し（図の右下に倍率を“１．５”で示す）、さらに、図３Ｈに１．２倍の画像を示す（図の右下に倍率を“１．２”で示す）。さらに、図３Ｇ〜Ｊに、各画像に表示されたアノテーションを「→」で示す。
【００４１】
拡大率１倍まで画像縮小を行ったとき、必要な画素情報が表示できないときがある。それ以上の画像の縮小が必要なとき、調整部６２３ｂによりアノテーション「→」付近を中心に表示エリアを絞る。図３Ｉに、拡大率１倍の画像、アノテーション「→」付近を中心に絞られた表示エリアを示し（図の右下に倍率“１．０”を示す）。さらに、図３Ｊに絞られた表示エリアを示す（図の右下に倍率“１．０”を示す）。
【００４２】
また表示サイズの調整は、最小表示サイズに基づくものに限られない。たとえば、過去のある時点で電子カルテのウインドウＷ１及び血液検査情報のウインドウＷ´２が表示画面６３ａに表示された場合、記憶部（図示なし）にそれぞれの表示サイズを記憶しておく。そして、別の機会に電子カルテのウインドウ及び血液検査情報のウインドウを表示する場合に、調整部６２３ｂは、その過去の表示サイズに基づいて、各ウインドウの表示サイズを調整することも可能である。或いは、過去のある時点で電子カルテのウインドウＷ１だけが表示画面６３ａに表示された場合、その時のウインドウＷ１の表示サイズを記憶部（図示なし）に記憶しておく。そして、別の機会に電子カルテのウインドウ及び血液検査情報のウインドウを表示する場合に、調整部６２３ｂは、記憶された表示サイズに基づいて電子カルテのウインドウの表示サイズを調整する。また、調整部６２３ｂは、新たに表示させる血液検査情報のウインドウの表示サイズを、記憶されたウインドウＷ１の表示サイズ及び表示画面６３ａのサイズに基づいて決定することも可能である。
【００４３】
調整部６２３ｂは、表示サイズと併せて、表示画面６３ａにおけるウインドウＷ１及び／又はウインドウＷ２の表示位置や表示形状を調整することも可能である。調整部６２３ｂの調整結果に基づき、表示制御部６２４は、ウインドウの移動等を行う。
【００４４】
優先度は病院における検査科毎にそれぞれ定められていてもよい。たとえば、診療科と放射線科で異なる優先度を設定してもよい。具体的には、診療科では電子カルテへの入力がメインとなるため、電子カルテのウインドウを最優先とする。一方、放射線科では、ＣＴ検査画像の読影がメインとなるため、電子カルテのウインドウよりもＣＴ検査画像のウインドウを最優先とする（図４Ｂのテーブル情報Ｔ２参照）。なお、テーブル情報Ｔ２において「１」が最も高い優先度を示す。数字が大きくなるほど優先度は低くなる。
【００４５】
第１判定部６２３ａ及び調整部６２３ｂによる処理は、第１ウインドウとして複数のウインドウが表示されている場合も同様である。具体例として、表示画面６３ａに第１ウインドウとしてウインドウＷ１及びＷ´２が表示された状態において（図３Ｄ）、第２ウインドウとして病理検査情報のウインドウＷ３を表示させる指示がなされた場合について述べる。
【００４６】
表示画面６３ａにウインドウＷ１及びＷ´２が表示された状態において、入力部６１等からの指示入力により、病理検査情報が選択されると、第１判定部６２３ａは、表示画面６３ａにおけるウインドウＷ１及びウインドウＷ´２の表示領域をエッジ検出等の画像処理によって取得し、それ以外の表示画面６３ａの領域を空き領域Ｖ３（ウインドウＷ１及びウインドウＷ´２が表示されていない領域）として特定する。第１判定部６２３ａは、空き領域Ｖ３と病理検査情報のウインドウＷ３の予め定められた表示条件とを比較し、空き領域Ｖ３にウインドウＷ３を表示可能かどうかを判定する。第１判定部６２３ａは、その判定結果を調整部６２３ｂに送る。
【００４７】
本実施形態において、ウインドウＷ１及びウインドウＷ´２が表示画面６３ａに表示されている状態（図３Ｄ参照）では、予め定められた表示サイズで病理検査情報のウインドウＷ３を表示させることはできない（図３Ｅ参照）。仮に、予め定められた表示サイズでウインドウＷ３を表示させた場合には、ウインドウＷ１及びウインドウＷ´２とウインドウＷ３とが重畳される重畳領域Ｓが生じる（図３Ｅ参照）。このようにウインドウが重畳されると重畳領域Ｓに示された医用情報を確認し難くなる。
【００４８】
この場合、調整部６２３ｂは、３つのウインドウ（ウインドウＷ１、ウインドウＷ´２及びウインドウＷ３）の最小表示サイズの情報に基づき、各ウインドウを最小表示サイズにした場合に、３つ全てのウインドウを表示画面６３ａに表示できるかどうかを判断する。具体例として、調整部６２３ｂは、３つのウインドウの最小表示サイズの和が表示画面６３ａのサイズ以下かどうかを判断する。全てのウインドウを表示できると判断した場合、調整部６２３ｂは、記憶部（図示なし）に記憶された予め定められた優先度に関するテーブル情報Ｔ１（図４Ａ参照）を読み出す。そして、調整部６２３ｂは、その優先度に基づいて、表示サイズを変更するウインドウを特定し、その表示サイズを調整する。本実施形態では、テーブル情報Ｔ１に示すように、電子カルテを最優先（優先度「１」）とし、血液検査情報と病理情報は同じ優先度（優先度「３」）となっている。よって、調整部６２３ｂは、血液検査情報のウインドウＷ´２及び病理検査情報のウインドウＷ３が等しい大きさとなるよう縮小させる調整を行う。表示制御部６２４は、調整部６２３ｂによる調整結果に基づいて、血液検査情報のウインドウＷ´´２、及び病理検査情報のウインドウＷ´３を表示画面６３ａに表示させる（図３Ｆ参照）。
【００４９】
表示制御部６２４は、表示部６３に対する表示制御を行う。たとえば、表示制御部６２４は、取得部６２１で取得された医用画像や読影レポート等を予め定められた表示サイズのウインドウで表示部６３に表示させるための制御を行う。
【００５０】
本実施形態において、表示制御部６２４は、サムネイル生成部６２４ａを含んで構成されている。サムネイル生成部６２４ａは、表示画面６３ａに表示される複数のウインドウのうち、一部のウインドウをサムネイル化する。サムネイル化されたウインドウは、表示制御部６２４により、表示画面６３ａに表示される。
【００５１】
（表示部）
表示部６３は、電子カルテ、読影レポート及び医用画像等の各ウインドウを表示するディスプレイである。
【００５２】
上記構成のうち、第１判定部６２３ａ、調整部６２３ｂ、表示制御部６２４及び表示部６３が本実施形態における「医用情報閲覧装置」の一例である。
【００５３】
［動作］
次に、図５を参照して、本実施形態に係る電子カルテ装置６の動作について説明する。
【００５４】
まず、電子カルテ装置６において、入力部６１から患者ＩＤが入力されると、取得部６２１はその患者ＩＤに関連する電子カルテを医用情報保管装置８から取得する。表示制御部６２４は、取得された電子カルテを表示画面６３ａにウインドウ（ウインドウＷ１）で表示させる（Ｓ１０）。
【００５５】
Ｓ１０の状態で、入力部６１により血液検査情報のウインドウＷ２を表示させるよう指示入力があると、第１判定部６２３ａは、表示画面６３ａにおいてウインドウＷ１の表示領域をエッジ検出により取得し、それ以外の表示画面６３ａの領域を空き領域Ｖ１として特定する。第１判定部６２３ａは、空き領域Ｖ１と血液検査情報のウインドウＷ２の予め定められた表示条件とを比較し、空き領域Ｖ１にウインドウＷ２を表示可能かどうかを判定する（Ｓ１１）。
【００５６】
Ｓ１１で特定された空き領域Ｖ１にウインドウＷ２が表示可能と判定された場合（Ｓ１１でＹの場合）、表示制御部６２４は、空き領域Ｖ１にウインドウＷ２を表示させる（Ｓ１２）。
【００５７】
一方、空き領域Ｖ１に表示不可能と判定された場合（Ｓ１１でＮの場合）、第１判定部６２３ａは、既に表示されているウインドウＷ１を表示画面６３ａ中で移動させた場合に生じる空き領域Ｖ２を特定し、その空き領域Ｖ２にウインドウＷ２を表示できるかどうかを判定する（Ｓ１３）。
【００５８】
Ｓ１３で特定された空き領域Ｖ２にウインドウＷ２が表示可能と判定された場合（Ｓ１３でＹの場合）、表示制御部６２４は、ウインドウＷ１を移動させ、且つ移動により生じる空き領域Ｖ２にウインドウＷ２を表示させる（Ｓ１４）。
【００５９】
一方、ウインドウＷ１を移動させた場合であっても、空き領域Ｖ２に表示不可能と判定された場合（Ｓ１３でＮの場合）、調整部６２３ｂは、ウインドウＷ１及びウインドウＷ２の最小表示サイズの情報に基づき、各ウインドウを縮小した場合に、ウインドウＷ１及びウインドウＷ２を表示画面６３ａに表示できるかどうかを判断する（Ｓ１５）。
【００６０】
ウインドウの表示サイズを縮小すればウインドウＷ１及びウインドウＷ２が表示可能と判断された場合（Ｓ１５でＹの場合）、調整部６２３ｂは、テーブル情報に定められた優先度に基づいて、表示サイズを変更するウインドウを特定し、その表示サイズを調整する（Ｓ１６）。表示制御部６２４は、Ｓ１６で調整された表示サイズでウインドウＷ１及びウインドウＷ２を表示させる（Ｓ１７）。
【００６１】
一方、最小表示サイズまでウインドウを縮小してもウインドウＷ１及びウインドウＷ２が表示不可能と判断された場合（Ｓ１５でＮの場合）、サムネイル生成部６２４ａは、いずれか一方のウインドウをサムネイル化し、表示画面６３ａに他方のウインドウと関連付けて表示させる（Ｓ１８）。或いは、表示制御部６２４が、表示画面６３ａに表示不可能な旨の警告メッセージを表示させることも可能である。
【００６２】
なお、Ｓ１３（及びＳ１４）の動作を省略することも可能である。すなわち、Ｓ１２でウインドウＷ２を表示不可能と判定された場合に、Ｓ１５の判断を行うことも可能である。
【００６３】
ここで、診療科の医師が電子カルテを用いて次回の検査をオーダーする場合の一例について述べる。まず患者ＩＤにより対応する電子カルテを医用情報保管装置８から読み出し、表示画面６３ａに表示させる。そこに、血液検査情報や内視鏡検査情報等を選択し、それぞれウインドウで表示させる。それらのウインドウにおける医用情報を参照して、医師は、次回の検査のオーダー電子カルテへ入力する。つまり、新たなウインドウを表示させる度に電子カルテ装置６は、Ｓ１１〜Ｓ１８の処理を行う。
【００６４】
上記構成（第１判定部６２３ａ、調整部６２３ｂ、表示制御部６２４及び表示部６３）をレポート作成装置４や画像閲覧装置７等に設けることも可能である。たとえば、生理検査科の医師による指示入力により、レポート作成装置４の表示部等に内視鏡検査情報のウインドウや血液検査情報のウインドウが表示される。このとき、上記処理を実行することによって、ウインドウの表示条件を調整する。よって、医師は、ウインドウに示された内容を参照しながら所見を入力することで読影レポートを作成することができる。すなわち、レポート作成装置４等に上記構成を設けることで同様の効果を達成することができる。この場合、レポート作成装置４或いは画像閲覧装置７における当該構成が、「医用情報閲覧装置」の一例となる。
【００６５】
［作用・効果］
第１実施形態に係る医用情報閲覧装置の作用及び効果について説明する。
【００６６】
医用情報閲覧装置は、表示部６３と、表示制御部６２４と、第１判定部６２３ａと、調整部６２３ｂとを有する。表示制御部６２４は、予め定められた表示サイズをそれぞれ有する複数のウインドウを表示部６３の表示画面６３ａに表示させる。第１判定部６２３ａは、表示画面６３ａに少なくとも一つの第１ウインドウが表示された状態で、表示画面６３ａに第２ウインドウも表示させるときに、第１ウインドウの表示領域及び第２ウインドウの表示条件に基づいて、表示画面６３ａに第２ウインドウを表示可能な領域があるか否かを判定する。調整部６２３ｂは、第２ウインドウを表示可能な領域が無いと判定された場合に、第１ウインドウ及び第２ウインドウが表示画面に表示されるように、第１ウインドウ及び／又は第２ウインドウの表示条件を調整可能か否か判断し、表示条件を調整可能と判断した場合に、表示条件を調整する。
【００６７】
本実施形態において、調整部６２３ｂは、表示条件として、第１ウインドウ及び／又は第２ウインドウの表示サイズを調整する。より具体的には、調整部６２３ｂは、第１ウインドウ及び第２ウインドウそれぞれの最小表示サイズに基づいて、第１ウインドウ及び第２ウインドウの表示サイズを調整する。
【００６８】
このように、第１判定部６２３ａが、第１ウインドウの表示領域及び第２ウインドウの表示条件に基づいて、表示画面６３ａに第２ウインドウを表示可能な領域があるか否かを判定する。そして、調整部６２３ｂが、第１ウインドウ及び第２ウインドウが表示画面６３ａに表示されるように、第１ウインドウ及び／又は第２ウインドウの表示条件（たとえば表示サイズ）を自動で調整することにより、新たなウインドウを表示させる度に手動でウインドウの表示サイズ等を調整する必要がない。よって、表示画面に複数のウインドウを表示させて行う読影や診断等の効率化を図ることが可能となる。
【００６９】
また、本実施形態において、表示制御部６２４（サムネイル生成部６２４ａ）は、調整部６２３ｂにより、ウインドウの表示条件の調整が不可能と判断された場合に、第１ウインドウ及び／又は第２ウインドウをサムネイル化し、表示画面６３ａに表示させる。
【００７０】
このように、ウインドウをサムネイル化することにより、医師は、必要に応じて任意のサムネイルを選択し、対応するウインドウを表示画面に表示させることが可能となる。つまり、あるウインドウ全体を表示することができない場合であっても、そのウインドウをサムネイル化することにより、他のウインドウを閉じたりする必要がない。よって、読影や診断等の効率化を図ることが可能となる。
【００７１】
また、本実施形態において、最小表示サイズは、第１ウインドウ及び第２ウインドウそれぞれに表示される医用画像のサイズに基づいて決定されてもよい。
【００７２】
このように、医用画像のサイズをウインドウの最小表示サイズとすることで、ウインドウが縮小された場合にも読影や診断に重要な医用画像を確実に認識することができる。よって、読影や診断等の効率化を図ることが可能となる。
【００７３】
また、本実施形態において、調整部６２３ｂは、第１ウインドウ及び／又は第２ウインドウそれぞれが過去に表示されたときの表示サイズに基づいて、第１ウインドウ及び第２ウインドウの表示サイズを調整する。
【００７４】
このように、過去の表示サイズに基づいてウインドウの表示サイズを調整することによっても、新たなウインドウを表示させる度に手動でウインドウの表示サイズ等を調整する必要がない。よって、表示画面に複数のウインドウを表示させて行う読影や診断等の効率化を図ることが可能となる。
【００７５】
また、本実施形態において、調整部６２３ｂは、予め設定された優先度に基づいて、表示サイズを調整するウインドウを選択し、その表示サイズを調整する。
【００７６】
このように、優先度に基づいて表示サイズを調整するウインドウを選択することで、読影や診断等に必要なウインドウを優先的に表示させることができる。よって、表示画面に複数のウインドウを表示させる場合であっても読影や診断等を効率的に行うことが可能となる。
【００７７】
また、本実施形態において、調整部６２３ｂは、表示条件として、表示サイズと併せて、表示画面６３ａにおける第１ウインドウ及び／又は第２ウインドウの表示位置を調整する。
【００７８】
このように、表示サイズと併せて、表示位置を調整することにより、ウインドウを空き領域に効率よく配置することができる。また、ウインドウの表示位置を調整することにより、所望の位置にウインドウを配置することが可能となる。すなわち、医師等の好みに合わせてウインドウの配置を調整することができる。よって、表示画面に複数のウインドウを表示させて行う読影や診断等の効率化を図ることが可能となる。
【００７９】
＜第２実施形態＞
図６から図９を参照して、第２実施形態に係る医用情報閲覧装置（電子カルテ装置６の一部）の構成について説明する。第１実施形態と同様の構成については、詳細な説明を省略する場合がある。
【００８０】
［電子カルテ装置の構成］
図６は、本実施形態に係る電子カルテ装置６の詳細を示すブロック図である。電子カルテ装置６は、第１実施形態と同様、入力部６１と、ＣＰＵ６２と、表示部６３とを含んで構成されている。
【００８１】
（入力部）
入力部６１は、電子カルテ装置６において各種の指示入力を行うために設けられている。
【００８２】
（ＣＰＵ）
本実施形態において、ＣＰＵ６２は、専用のアプリケーションソフトウェアにより、取得部６２１、電子カルテ作成部６２２、処理部６２３、及び表示制御部６２４として機能する。
【００８３】
取得部６２１は、入力部６１等からの指示入力に基づいて、電子カルテ、医用画像及び検査情報等の医用情報を医用情報保管装置８から取得する。電子カルテ作成部６２２は、入力部６１等からの指示入力に基づいて、表示画面６３ａに表示された電子カルテに診断内容等を記入する。
【００８４】
処理部６２３は、取得部６２１により取得された医用情報を示すウインドウに対して各種の処理を行う。本実施形態における処理部６２３は、第１判定部６２３ａと、調整部６２３ｂと、第２判定部６２３ｃとを含んで構成されている。
【００８５】
第１判定部６２３ａは、表示画面６３ａに少なくとも一つの第１ウインドウが表示された状態で、その表示画面６３ａに第２ウインドウも表示させるときに、第１ウインドウの表示領域及び第２ウインドウの表示条件に基づいて、表示画面６３ａに第２ウインドウを表示可能な領域があるか否かを判定する。
【００８６】
具体例として、表示画面６３ａに第１ウインドウとして電子カルテのウインドウＷ１が表示された状態（図７Ａ参照）において、第２ウインドウとして血液検査情報のウインドウＷ２を表示させる指示がなされた場合について述べる。
【００８７】
本実施形態において、ウインドウＷ１には、特定領域として、患者ＩＤ表示欄Ｐ１が設けられている（図７Ａ等参照）。ウインドウＷ２には、特定領域として、患者ＩＤ表示欄Ｐ２が設けられている（図７Ｃ等参照）。「特定領域」とは、表示画面６３ａに表示されたウインドウ中において、特に注目すべき情報が表示される領域をいう。たとえば、表示画面６３ａに複数のウインドウが表示される場合、患者ＩＤ表示欄は、各ウインドウが同一患者のものであるか否かを判断するために注目する必要がある。よって、各ウインドウの患者ＩＤ表示欄は、医師等が常に視認可能となるよう表示されることが望まれる。なお、特定領域は、患者ＩＤ表示欄に限られない。たとえば、ＣＴ画像のウインドウや内視鏡画像のウインドウでは、医用画像撮影装置２によって撮影された画像を確認することが重要となる。この場合、特定領域をウインドウ中の画像領域とすることもできる。特定領域は、ウインドウの種類（アプリケーションの種類）によって予め決められていてもよいし（後述のテーブル情報Ｔ３参照）、入力部６１等を介して都度、指定してもよい。
【００８８】
表示画面６３ａにウインドウＷ１が表示された状態において、入力部６１等からの指示入力により、血液検査情報が選択されると、第１判定部６２３ａは、表示画面６３ａにおけるウインドウＷ１の表示領域をエッジ検出等の画像処理によって取得し、それ以外の表示画面６３ａの領域を空き領域Ｖ１（ウインドウＷ１が表示されていない領域）として特定する（図７Ａ参照）。第１判定部６２３ａは、空き領域Ｖ１と血液検査情報のウインドウＷ２の予め定められた表示条件とを比較し、空き領域Ｖ１にウインドウＷ２を表示可能かどうか判定する。
【００８９】
空き領域Ｖ１にウインドウＷ２を表示不可能な場合、第１判定部６２３ａは、表示画面６３ａ中でウインドウＷ１を移動させた場合に生じる空き領域Ｖ２のサイズを特定し、空き領域Ｖ２にウインドウＷ２を表示できるかどうかを判定する（図７Ｂ参照）。
【００９０】
第１判定部６２３ａは、これらの判定結果を調整部６２３ｂに送る。なお、空き領域Ｖ１にウインドウＷ２を表示不可能な場合に第１判定部６２３ａが行う上記判定は、その処理を省略することが可能である。
【００９１】
第１判定部６２３ａにおいて、ウインドウＷ２を表示可能な領域（空き領域Ｖ１、Ｖ２）が無いと判定された場合に、調整部６２３ｂは、ウインドウＷ１及びウインドウＷ２が表示画面６３ａに表示されるように、ウインドウＷ１及び／又はウインドウＷ２の表示条件を調整する。
【００９２】
具体例として、調整部６２３ｂが、表示条件としてウインドウの表示サイズを調整する場合について説明する。本実施形態において、ウインドウＷ１が表示画面６３ａに表示されている状態（図７Ｂ参照）では、予め定められた表示サイズで血液検査情報のウインドウＷ２全体を表示させることはできない。仮に、予め定められた表示サイズでウインドウＷ２を表示させた場合には、ウインドウＷ１とウインドウＷ２が重畳される重畳領域Ｓが生じる（図７Ｃ参照）。
【００９３】
この場合、調整部６２３ｂは、ウインドウＷ１及びウインドウＷ２の最小表示サイズの情報に基づき、各ウインドウを最小表示サイズにした場合に、ウインドウＷ１及びウインドウＷ２を表示画面６３ａに表示できるかどうかを判断する。具体例として、調整部６２３ｂは、ウインドウＷ１及びウインドウＷ２の最小表示サイズの和が表示画面６３ａのサイズ以下かどうかを判断する。ウインドウＷ１及びウインドウＷ２を表示できると判断した場合（表示条件を調整可能と判断した場合）、調整部６２３ｂは、記憶部（図示なし）に記憶された予め定められた優先度に関するテーブル情報Ｔ３（図８参照）を読み出す。そして、調整部６２３ｂは、その優先度に基づいて、表示サイズを変更するウインドウを特定し、その表示サイズを調整する。テーブル情報Ｔ３においては、「１」が最も高い優先度を示す。また、数字が大きくなるほど優先度は低くなる。なお、テーブル情報Ｔ３には、アプリケーションと対応する特定領域とが関連付けられている。
【００９４】
一方、ウインドウＷ１及びウインドウＷ２を表示できないと判断した場合（表示条件を調整不可能と判断した場合）、調整部６２３ｂは、その判断結果を第２判定部６２３ｃに送る。表示条件を調整不可能な場合とは、すなわち、ウインドウＷ１及びウインドウＷ２を最小表示サイズ（Ｗｍｉｎ１、Ｗｍｉｎ２）まで縮小したとしても（或いは縮小させたウインドウを移動させたとしても）、重畳領域Ｓが生ずる場合である（図７Ｄ参照）。
【００９５】
第２判定部６２３ｃは、ウインドウＷ１中の特定領域（患者ＩＤ表示欄Ｐ１）及びウインドウＷ２中の特定領域（患者ＩＤ表示欄Ｐ２）に基づいて、ウインドウＷ１とウインドウＷ２との重畳表示が可能か否かを判定する。
【００９６】
上述の通り、各ウインドウには、特に注目すべき特定領域が存在する。一方、特定領域以外の領域は、仮に他のウインドウによりその一部が隠れていたとしても、その影響は低い。そこで、第２判定部６２３ｃは、ウインドウＷ１及びウインドウＷ２において、特定領域（患者ＩＤ表示欄Ｐ１及び患者ＩＤ表示欄Ｐ２）を特定する。領域の特定には、たとえばテーブル情報Ｔ３が用いられる。第２判定部６２３ｃは、テーブル情報Ｔ３に基づき、ウインドウＷ１における特定領域として患者ＩＤ表示欄Ｐ１を特定する。また、第２判定部６２３ｃは、テーブル情報Ｔ３に基づき、ウインドウＷ２における特定領域として患者ＩＤ表示欄Ｐ２を特定する。
【００９７】
そして、第２判定部６２３ｃは、ウインドウＷ１及びウインドウＷ２を最小表示サイズ（Ｗｍｉｎ１、Ｗｍｉｎ２）に縮小した場合に、表示画面６３ａ中に患者ＩＤ表示欄Ｐ１及び患者ＩＤ表示欄Ｐ２を表示できるか否かを判定する。すなわち、第２判定部６２３ｃは、ウインドウＷ１とウインドウＷ２との重畳表示が可能か否かを判定する。具体例として、第２判定部６２３ｃは、ウインドウＷ１及びウインドウＷ２を最小表示サイズ（Ｗｍｉｎ１、Ｗｍｉｎ２）に縮小した場合の表示領域をエッジ検出等の画像処理によって取得し、それ以外の表示画面６３ａの領域を空き領域Ｖ４（ウインドウＷｍｉｎ１及びウインドウＷｍｉｎ２が表示されていない領域）として特定する（図７Ｄ参照）。そして、第２判定部６２３ｃは、ウインドウＷｍｉｎ１における患者ＩＤ表示欄Ｐ１のサイズ及びウインドウＷｍｉｎ２における患者ＩＤ表示欄Ｐ２のサイズの和が、表示画面６３ａの空き領域Ｖ４以下かどうかを判定する。患者ＩＤ表示欄Ｐ１のサイズ及び患者ＩＤ表示欄Ｐ２のサイズの和が、表示画面６３ａの空き領域Ｖ４以下の場合には、ウインドウＷｍｉｎ１及びウインドウＷｍｉｎ２の一部を重畳表示させることにより、空き領域Ｖ４に患者ＩＤ表示欄Ｐ１及び患者ＩＤ表示欄Ｐ２を表示できることとなる（図７Ｅ参照）。
【００９８】
重畳表示が可能と判定した場合、第２判定部６２３ｃは、その判定結果を調整部６２３ｂに送る。
【００９９】
調整部６２３ｂは、ウインドウＷ１中の患者ＩＤ表示欄Ｐ１及びウインドウＷ２中の患者ＩＤ表示欄Ｐ２が少なくとも表示画面６３ａに表示されるように、ウインドウＷ１及び／又はウインドウＷ２の表示条件を調整する。具体例としては、調整部６２３ｂは、ウインドウＷ１及びウインドウＷ２を最小表示サイズ（Ｗｍｉｎ１、Ｗｍｉｎ２）まで縮小させ、且つ、患者ＩＤ表示欄Ｐ１及び患者ＩＤ表示欄Ｐ２の全体が表示可能となるようにウインドウＷ１及びウインドウＷ２を移動させるよう調整を行う。また、本実施形態において、調整部６２３ｂは、テーブル情報Ｔ３に基づき、重畳領域Ｓにおいて優先度の高い電子カルテの情報が前に来るようウインドウＷｍｉｎ２にウインドウＷｍｉｎ１を重ねる調整を行う。表示制御部６２４は、調整部６２３ｂによる調整結果に基づいて、ウインドウＷｍｉｎ１及びウインドウＷｍｉｎ２をその一部が重畳された状態で表示画面６３ａに表示させる（図７Ｅ参照）。なお、患者ＩＤ表示欄Ｐ１及び患者ＩＤ表示欄Ｐ２の全体を表示することができれば、ウインドウＷ１及びウインドウＷ２を最小表示サイズまで縮小させなくともよい。
【０１００】
第１判定部６２３ａ、調整部６２３ｂ及び第２判定部６２３ｃによる処理は、第１ウインドウとして複数のウインドウが表示されている場合も同様である。具体例として、表示画面６３ａに第１ウインドウとしてウインドウＷｍｉｎ１及びウインドウＷｍｉｎ２が表示された状態において（図７Ｅ参照）、第２ウインドウとして病理検査情報のウインドウＷ３を表示させる指示がなされた場合について述べる。なお、本実施形態において、ウインドウＷ３には、特定領域として、患者ＩＤ表示欄Ｐ３が設けられている（図７Ｆ等参照）。
【０１０１】
表示画面６３ａにウインドウＷｍｉｎ１及びウインドウＷｍｉｎ２が表示された状態において、入力部６１等からの指示入力により、病理検査情報が選択されると、第１判定部６２３ａは、表示画面６３ａにおけるウインドウＷｍｉｎ１及びウインドウＷｍｉｎ２の表示領域をエッジ検出等の画像処理によって取得し、それ以外の表示画面６３ａの領域を空き領域Ｖ５（ウインドウＷｍｉｎ１及びウインドウＷｍｉｎ２が表示されていない領域）として特定する（図７Ｅ参照）。第１判定部６２３ａは、空き領域Ｖ５と病理検査情報のウインドウＷ３の予め定められた表示条件とを比較し、空き領域Ｖ５にウインドウＷ３を表示可能かどうか判定する。第１判定部６２３ａは、これらの判定結果を調整部６２３ｂに送る。
【０１０２】
本実施形態において、ウインドウＷｍｉｎ１及びウインドウＷｍｉｎ２が表示画面６３ａに表示されている状態（図７Ｅ参照）では、予め定められた表示サイズで病理検査情報のウインドウＷ３全体を表示させることはできない。仮に、予め定められた表示サイズでウインドウＷ３を表示させた場合には、ウインドウＷｍｉｎ１及びウインドウＷｍｉｎ２とウインドウＷ３とが重畳される重畳領域Ｓが生じる（図７Ｆ参照）。
【０１０３】
この場合、調整部６２３ｂは、３つのウインドウ（ウインドウＷ１、ウインドウＷ２及びウインドウＷ３）の最小表示サイズの情報に基づき、各ウインドウを最小表示サイズにした場合に、３つ全てのウインドウを表示画面６３ａに表示できるかどうかを判断する。具体例として、調整部６２３ｂは、３つのウインドウの最小表示サイズの和が表示画面６３ａのサイズ以下かどうかを判断する。全てのウインドウを表示できると判断した場合、調整部６２３ｂは、記憶部（図示なし）に記憶された予め定められた優先度に関するテーブル情報Ｔ３を読み出す。そして、調整部６２３ｂは、その優先度に基づいて、表示サイズを変更するウインドウを特定し、その表示サイズを調整する。なお、本実施形態では、ウインドウＷ１及びウインドウＷ２は、元々最小表示サイズで表示されている。従って、調整部６２３ｂにおいて、全てのウインドウを表示できると判断されることはない。
【０１０４】
一方、全てのウインドウを表示できないと判断した場合、調整部６２３ｂは、その判断結果を第２判定部６２３ｃに送る。表示条件を調整不可能な場合とは、すなわち、全てのウインドウを最小表示サイズ（Ｗｍｉｎ１、Ｗｍｉｎ２、Ｗｍｉｎ３）まで縮小したとしても（或いは縮小させたウインドウを移動させたとしても）、重畳領域Ｓが生ずる場合である（図７Ｇ参照）。
【０１０５】
第２判定部６２３ｃは、３つのウインドウ中の特定領域（患者ＩＤ表示欄Ｐ１、患者ＩＤ表示欄Ｐ２、及び患者ＩＤ表示欄Ｐ３）に基づいて、ウインドウＷ１及び／又はウインドウＷ２とウインドウＷ３との重畳表示が可能か否かを判定する。
【０１０６】
具体例として、第２判定部６２３ｃは、３つのウインドウにおいて、特定領域（患者ＩＤ表示欄Ｐ１、患者ＩＤ表示欄Ｐ２、及び患者ＩＤ表示欄Ｐ３）を特定する。第２判定部６２３ｃは、テーブル情報Ｔ３に基づき、ウインドウＷ１における特定領域として患者ＩＤ表示欄Ｐ１を特定する。また、第２判定部６２３ｃは、テーブル情報Ｔ３に基づき、ウインドウＷ２における特定領域として患者ＩＤ表示欄Ｐ２を特定する。また、第２判定部６２３ｃは、テーブル情報Ｔ３に基づき、ウインドウＷ３における特定領域として患者ＩＤ表示欄Ｐ３を特定する。
【０１０７】
そして、第２判定部６２３ｃは、３つのウインドウを最小表示サイズ（Ｗｍｉｎ１、Ｗｍｉｎ２、Ｗｍｉｎ３）に縮小した場合に、表示画面６３ａ中に患者ＩＤ表示欄Ｐ１、患者ＩＤ表示欄Ｐ２、及び患者ＩＤ表示欄Ｐ３を表示できるか否かを判定する。具体例として、第２判定部６２３ｃは、３つのウインドウを最小表示サイズ（Ｗｍｉｎ１、Ｗｍｉｎ２、Ｗｍｉｎ３）に縮小した場合の表示領域をエッジ検出等の画像処理によって取得し、それ以外の表示画面６３ａの領域を空き領域Ｖ６（ウインドウＷｍｉｎ１、Ｗｍｉｎ２、ウインドウＷｍｉｎ３が表示されていない領域）として特定する（図７Ｇ参照）。そして、第２判定部６２３ｃは、患者ＩＤ表示欄Ｐ１のサイズ、患者ＩＤ表示欄Ｐ２のサイズ、及び患者ＩＤ表示欄Ｐ３のサイズの和が、表示画面６３ａの空き領域Ｖ６以下かどうかを判定する。３つの患者ＩＤ表示欄のサイズの和が、表示画面６３ａの空き領域Ｖ６以下の場合には、３つのウインドウの一部を重畳表示させることにより、空き領域Ｖ６に３つの患者ＩＤ表示欄を表示できる（図７Ｈ参照）。
【０１０８】
重畳表示が可能と判定した場合、第２判定部６２３ｃは、その判定結果を調整部６２３ｂに送る。
【０１０９】
調整部６２３ｂは、３つの患者ＩＤ表示欄が少なくとも表示画面６３ａに表示されるように、少なくとも一つのウインドウの表示条件を調整する。具体例として、調整部６２３ｂは、３つのウインドウを最小表示サイズ（Ｗｍｉｎ１、Ｗｍｉｎ２、Ｗｍｉｎ３）まで縮小させ、且つ、３つの患者ＩＤ表示欄が表示可能となるように各ウインドウを移動させるよう調整を行う。また、本実施形態において、調整部６２３ｂは、テーブル情報Ｔ３に基づき、重畳領域Ｓにおいて優先度の高い電子カルテの情報が前に来るようウインドウＷｍｉｎ２及びウインドウＷｍｉｎ３にウインドウＷｍｉｎ１を重ねる調整を行う。表示制御部６２４は、調整部６２３ｂによる調整結果に基づいて、ウインドウＷｍｉｎ１、ウインドウＷｍｉｎ２、及びウインドウＷｍｉｎ３をその一部が重畳された状態で表示画面６３ａに表示させる（図７Ｈ参照）。
【０１１０】
表示制御部６２４は、表示部６３に対する表示制御を行う。たとえば、表示制御部６２４は、取得部６２１で取得された医用画像や読影レポート等を予め定められた表示サイズのウインドウで表示部６３に表示させるための制御を行う。表示制御部６２４は、サムネイル生成部６２４ａを含んで構成されている。
【０１１１】
（表示部）
表示部６３は、電子カルテ、読影レポート及び医用画像等の各ウインドウを表示するディスプレイである。
【０１１２】
上記構成のうち、第１判定部６２３ａ、調整部６２３ｂ、第２判定部６２３ｃ、表示制御部６２４及び表示部６３が本実施形態における「医用情報閲覧装置」の一例である。
【０１１３】
［動作］
次に、図９を参照して、本実施形態に係る電子カルテ装置６の動作について説明する。
【０１１４】
まず、電子カルテ装置６において、入力部６１から患者ＩＤが入力されると、取得部６２１はその患者ＩＤに関連する電子カルテを医用情報保管装置８から取得する。表示制御部６２４は、取得された電子カルテを表示画面６３ａにウインドウ（ウインドウＷ１）で表示させる（Ｓ２０）。
【０１１５】
Ｓ２０の状態で、入力部６１により血液検査情報のウインドウＷ２を表示させるよう指示入力があると、第１判定部６２３ａは、表示画面６３ａにおいてウインドウＷ１の表示領域をエッジ検出により取得し、それ以外の表示画面６３ａの領域を空き領域Ｖ１として特定する。第１判定部６２３ａは、空き領域Ｖ１と血液検査情報のウインドウＷ２の予め定められた表示条件とを比較し、空き領域Ｖ１にウインドウＷ２を表示可能かどうかを判定する（Ｓ２１）。
【０１１６】
Ｓ２１で特定された空き領域Ｖ１にウインドウＷ２が表示可能と判定された場合（Ｓ２１でＹの場合）、表示制御部６２４は、空き領域Ｖ１にウインドウＷ２を表示させる（Ｓ２２）。
【０１１７】
一方、空き領域Ｖ１に表示不可能と判定された場合（Ｓ２１でＮの場合）、第１判定部６２３ａは、既に表示されているウインドウＷ１を表示画面６３ａ中で移動させた場合に生じる空き領域Ｖ２を特定し、その空き領域Ｖ２にウインドウＷ２を表示できるかどうかを判定する（Ｓ２３）。
【０１１８】
Ｓ２３で特定された空き領域Ｖ２にウインドウＷ２が表示可能と判定された場合（Ｓ２３でＹの場合）、表示制御部６２４は、ウインドウＷ１を移動させ、且つ移動により生じる空き領域Ｖ２にウインドウＷ２を表示させる（Ｓ２４）。
【０１１９】
一方、ウインドウＷ１を移動させた場合であっても、空き領域Ｖ２に表示不可能と判定された場合（Ｓ２３でＮの場合）、調整部６２３ｂは、ウインドウＷ１及びウインドウＷ２の最小表示サイズの情報に基づき、各ウインドウを縮小した場合に、ウインドウＷ１及びウインドウＷ２を表示画面６３ａに表示できるかどうかを判断する（Ｓ２５）。
【０１２０】
ウインドウの表示サイズを縮小すればウインドウＷ１及びウインドウＷ２が表示可能と判断された場合（Ｓ２５でＹの場合）、調整部６２３ｂは、テーブル情報に定められた優先度に基づいて、表示サイズを変更するウインドウを特定し、その表示サイズを調整する（Ｓ２６）。表示制御部６２４は、Ｓ２６で調整された表示サイズでウインドウＷ１及びウインドウＷ２を表示させる（Ｓ２７）。
【０１２１】
一方、最小表示サイズまでウインドウを縮小してもウインドウＷ１及びウインドウＷ２が表示不可能と判断された場合（Ｓ２５でＮの場合）、調整部６２３ｂは、その判断結果を第２判定部６２３ｃに送る。
【０１２２】
第２判定部６２３ｃは、ウインドウＷ１及びウインドウＷ２において、特定領域（患者ＩＤ表示欄Ｐ１及び患者ＩＤ表示欄Ｐ２）を特定する。そして、第２判定部６２３ｃは、ウインドウＷ１及びウインドウＷ２を最小表示サイズ（Ｗｍｉｎ１、Ｗｍｉｎ２）に縮小した場合に、表示画面６３ａ中に患者ＩＤ表示欄Ｐ１及び患者ＩＤ表示欄Ｐ２を表示できるか否かを判定する。すなわち、第２判定部６２３ｃは、ウインドウＷ１とウインドウＷ２との重畳表示が可能か否かを判定する（Ｓ２８）。
【０１２３】
重畳表示が可能と判定した場合（Ｓ２８でＹの場合）、第２判定部６２３ｃは、その判定結果を調整部６２３ｂに送る。
【０１２４】
調整部６２３ｂは、ウインドウＷ１中の患者ＩＤ表示欄Ｐ１及びウインドウＷ２中の患者ＩＤ表示欄Ｐ２が少なくとも表示画面６３ａに表示されるように、ウインドウＷ１及び／又はウインドウＷ２の表示条件を調整する（Ｓ２９）。表示制御部６２４は、調整部６２３ｂによる調整結果に基づいて、ウインドウＷｍｉｎ１及びウインドウＷｍｉｎ２をその一部が重畳された状態で表示画面６３ａに表示させる（Ｓ３０）。
【０１２５】
一方、重畳表示が不可能と判定された場合（Ｓ２８でＮの場合）、サムネイル生成部６２４ａは、いずれか一方のウインドウをサムネイル化し、表示画面６３ａに他方のウインドウと関連付けて表示させる（Ｓ３１）。或いは、表示制御部６２４が、表示画面６３ａに表示不可能な旨の警告メッセージを表示させることも可能である。
【０１２６】
上記構成（第１判定部６２３ａ、調整部６２３ｂ、第２判定部６２３ｃ、表示制御部６２４及び表示部６３）をレポート作成装置４や画像閲覧装置７等に設けることも可能である。この場合、レポート作成装置４或いは画像閲覧装置７における当該構成が、「医用情報閲覧装置」の一例となる。
【０１２７】
［作用・効果］
第２実施形態に係る医用情報閲覧装置の作用及び効果について説明する。
【０１２８】
医用情報閲覧装置は、表示部６３と、表示制御部６２４と、第１判定部６２３ａと、調整部６２３ｂと、第２判定部６２３ｃとを有する。表示制御部６２４は、予め定められた表示サイズをそれぞれ有する複数のウインドウを表示部６３の表示画面６３ａに表示させる。第１判定部６２３ａは、表示画面６３ａに少なくとも一つの第１ウインドウが表示された状態で、その表示画面６３ａに第２ウインドウも表示させるときに、第１ウインドウの表示領域及び第２ウインドウの表示条件に基づいて、表示画面６３ａに第２ウインドウを表示可能な領域があるか否かを判定する。調整部６２３ｂは、第２ウインドウを表示可能な領域が無いと判定された場合に、第１ウインドウ及び第２ウインドウが表示画面６３ａに表示されるように、第１ウインドウ及び／又は第２ウインドウの表示条件を調整可能か否か判断し、表示条件を調整可能と判断した場合に、表示条件を調整する。第２判定部６２３ｃは、表示条件が調整不可能と判断された場合に、第１ウインドウ中の特定領域及び第２ウインドウ中の特定領域に基づいて、第１ウインドウと第２ウインドウとの重畳表示が可能か否かを判定する。更に、調整部６２３ｂは、重畳表示が可能と判定された場合に、第１ウインドウ中の特定領域及び第２ウインドウ中の特定領域が少なくとも表示画面６３ａに表示されるように、第１ウインドウ及び／又は第２ウインドウの表示条件を調整する。
【０１２９】
第２判定部６２３ｃが、第１ウインドウ中の特定領域及び第２ウインドウ中の特定領域に基づいて、第１ウインドウと第２ウインドウとの重畳表示が可能か否かを判定する。そして、調整部６２３ｂは、第１ウインドウ中の特定領域及び第２ウインドウ中の特定領域が少なくとも表示画面６３ａに表示されるように、第１ウインドウ及び／又は第２ウインドウの表示条件を調整することにより、新たなウインドウを表示させる度に手動でウインドウの表示サイズ等を調整する必要がない。また、ウインドウ中の特定領域を表示画面６３ａに確実に表示させることができる。よって、表示画面に複数のウインドウを表示させて行う読影や診断等の効率化を図ることが可能となる。
【０１３０】
＜第３実施形態＞
図１０から図１２を参照して、第３実施形態に係る医用情報閲覧装置（電子カルテ装置６の一部）の構成について説明する。第１実施形態又は第２実施形態と同様の構成については、詳細な説明を省略する場合がある。
【０１３１】
本実施形態では、表示画面に複数のウインドウが表示されているときに、その一部のウインドウの表示条件が変更された場合の動作について説明する。表示条件の変更の具体例は、「ウインドウを閉じる」、「ウインドウのサイズや位置を調整する」等である。
【０１３２】
［電子カルテ装置の構成］
図１０は、本実施形態に係る電子カルテ装置６の詳細を示すブロック図である。電子カルテ装置６は、第１実施形態と同様、入力部６１と、ＣＰＵ６２と、表示部６３とを含んで構成されている。ＣＰＵ６２は、専用のアプリケーションソフトウェアにより、取得部６２１、電子カルテ作成部６２２、処理部６２３、及び表示制御部６２４として機能する。処理部６２３は、第１判定部６２３ａと、調整部６２３ｂとを含んで構成されている。
【０１３３】
ここで、本実施形態における調整部６２３ｂは、特定部６２３ｄを含んで構成されている。
【０１３４】
特定部６２３ｄは、第１ウインドウ又は第２ウインドウの表示条件が変更されたときに、表示画面６３ａにおいて第１ウインドウ又は第２ウインドウが表示されていない領域を特定する。具体例として、表示画面６３ａに複数のウインドウ（ウインドウＷ４からウインドウＷ７）が表示されているときに（図１１Ａ参照）、ウインドウＷ７が閉じられた場合について述べる（図１１Ｂ参照）。ウインドウＷ７が閉じられたことを検知すると、特定部６２３ｄは、残っているウインドウ（ウインドウＷ３からウインドウＷ６）の表示領域を画像処理によって取得し、それ以外の表示画面６３ａの領域を空き領域Ｖ７（ウインドウＷ４からウインドウＷ６が表示されていない領域）として特定する（図１１Ｂ参照）。
【０１３５】
調整部６２３ｂは、特定部６２３ｄによる特定結果に基づいて、第１ウインドウ又は第２ウインドウの表示条件を調整する。具体例として、特定部６２３ｄにより空き領域Ｖ７が特定された場合について述べる。この場合、調整部６２３ｂは、空き領域Ｖ７に対してウインドウＷ４からウインドウＷ６の表示条件の調整を行う。複数あるウインドウのうち、どのウインドウの表示条件を優先して調整するかは、たとえば予め優先度が定められたテーブル情報に基づいて行う。或いは、入力部６１等の指示入力に基づいて都度、優先度を決定し、その順番で調整を行ってもよい。ここでは、ウインドウＷ４の優先度が最も高いものとして説明する。調整部６２３ｂは、ウインドウＷ７が表示されていた領域のサイズだけ、最も優先度の高いウインドウＷ４を拡大させる（ウインドウＷ´４）。その際、図１１Ｂのウインドウ配置でウインドウＷ４を拡大させると、ウインドウＷ４を拡大させた部分とウインドウＷ５とが重なることとなる（図１１Ｃ参照）。よって、調整部６２３ｂは、ウインドウＷ５及びウインドウＷ６を表示画面６３ａ中で移動させる調整も行う。表示制御部６２４は、調整部６２３ｂにより調整されたウインドウＷ´４からウインドウＷ６を表示画面６３ａに表示させる（図１１Ｄ参照）。
【０１３６】
［動作］
次に、図１２を参照して、本実施形態に係る電子カルテ装置６の動作について説明する。
【０１３７】
表示画面６３ａに複数のウインドウ（ウインドウＷ４からウインドウＷ７）が表示されているときに、入力部６１等からウインドウＷ７を閉じるよう指示入力がなされると、表示制御部６２４は、ウインドウＷ７を閉じる（Ｓ４０）。
【０１３８】
ウインドウＷ７が閉じられた場合、調整部６２３ｂは、他のウインドウの表示条件の調整を自動で行う設定がなされているかどうかを判断する（Ｓ４１）。
【０１３９】
自動調整の設定がなされている場合（Ｓ４１でＹの場合）、特定部６２３ｄは、ウインドウＷ７が閉じられたことを検知すると、残っているウインドウ（ウインドウＷ３からウインドウＷ６）の表示領域を画像処理によって取得する。そして、特定部６２３ｄは、取得した以外の表示画面６３ａの領域を空き領域Ｖ７（ウインドウＷ４からウインドウＷ６が表示されていない領域）として特定する（Ｓ４２）。
【０１４０】
調整部６２３ｂは、空き領域Ｖ７に対してウインドウＷ４からウインドウＷ６の表示条件の調整を行う（Ｓ４３）。調整部６２３ｂは、ウインドウＷ７が表示されていた領域のサイズだけ、最も優先度の高いウインドウＷ４を拡大させる（ウインドウＷ´４）。また、調整部６２３ｂは、ウインドウＷ５及びウインドウＷ６を表示画面６３ａ中で移動させる調整も行う。
【０１４１】
表示制御部６２４は、調整部６２３ｂにより調整されたウインドウＷ´４からウインドウＷ６を表示画面６３ａに表示させる（Ｓ４４）。
【０１４２】
一方、自動調整の設定がなされていない場合（Ｓ４１でＮの場合）、表示制御部６２４は、ウインドウＷ７が閉じられた状態のままウインドウＷ４からウインドウＷ６を表示させる（Ｓ４５）。
【０１４３】
上記構成（調整部６２３ｂ及び特定部６２３ｄ）をレポート作成装置４や画像閲覧装置７等に設けることも可能である。この場合、レポート作成装置４或いは画像閲覧装置７における当該構成が、「医用情報閲覧装置」の一例となる。
【０１４４】
［作用・効果］
第３実施形態に係る医用情報閲覧装置の作用及び効果について説明する。
【０１４５】
医用情報閲覧装置の調整部６２３ｂは、特定部６２３ｄを有する。特定部６２３ｄは、第１ウインドウ又は第２ウインドウの表示条件が変更されたときに、表示画面６３ａにおいて第１ウインドウ又は第２ウインドウが表示されていない領域を特定する。調整部６２３ｂは、特定部６２３ｄによる特定結果に基づいて、第１ウインドウ又は第２ウインドウの表示条件を調整する。表示制御部６２４は、調整部６２３ｂにより調整された第１ウインドウ又は第２ウインドウを表示画面６３ａに表示させる。
【０１４６】
このように、本実施形態に係る医用情報閲覧装置によれば、ウインドウの表示条件が変更された場合に、自動でウインドウの表示サイズ等を調整することができる。よって、表示画面に複数のウインドウを表示させて行う読影や診断等の効率化を図ることが可能となる。
【０１４７】
＜第４実施形態＞
図１３から図１５を参照して、第４実施形態に係る医用情報閲覧装置（電子カルテ装置６の一部）の構成について説明する。第１実施形態から第３実施形態と同様の構成については、詳細な説明を省略する場合がある。
【０１４８】
医師等は、１つの端末で複数人の患者の電子カルテの作成等を行う。電子カルテの作成等の際には、表示画面に複数のウインドウを表示させる。ここで、ある患者の電子カルテ作成が完了し、次の患者の電子カルテ作成を行う場合、本来、先の患者に関連する情報を示すウインドウを全て閉じてから、次の患者に関する情報を示すウインドウを開く。しかし、先の患者に関する情報を示すウインドウを手動で閉じる場合、閉じ忘れの可能性がある。
【０１４９】
本実施形態では、このような閉じ忘れを防止し、表示画面に複数のウインドウを表示させて行う読影や診断等の効率化を図ることが可能となる構成について説明する。
【０１５０】
［電子カルテ装置の構成］
図１３は、本実施形態に係る電子カルテ装置６の詳細を示すブロック図である。電子カルテ装置６は、第１実施形態等と同様、入力部６１と、ＣＰＵ６２と、表示部６３とを含んで構成されている。ＣＰＵ６２は、専用のアプリケーションソフトウェアにより、取得部６２１、電子カルテ作成部６２２、処理部６２３、表示制御部６２４、及び判断部６２５として機能する。処理部６２３は、第１判定部６２３ａと、調整部６２３ｂとを含んで構成されている。
【０１５１】
判断部６２５は、表示画面６３ａに第１ウインドウが表示された状態で、その表示画面６３ａに第２ウインドウも表示させるときに、第１ウインドウに関連付けられた識別情報と第２ウインドウに関連付けられた識別情報とが異なるか否かを判断する。
【０１５２】
識別情報とは、あるウインドウが他のウインドウと関連するウインドウかどうかを示す情報である。識別情報としては、たとえば、患者ＩＤがある。
【０１５３】
具体例として、表示画面６３ａに第１ウインドウとしてウインドウＷ８が表示された状態（図１４Ａ参照）で、入力部６１等からの指示入力に基づいて、表示画面６３ａに第２ウインドウとしてウインドウＷ９を表示させる場合について述べる。この場合、判断部６２５は、ウインドウＷ８に関連付けられた患者ＩＤとウインドウＷ９に関連付けられた患者ＩＤが同一の患者を示すものであるかどうかを判断する。
【０１５４】
判断部６２５によって、患者ＩＤが異なると判断された場合（たとえば、図１４Ａにおいて、ウインドウＷ８のＩＤは患者Ａを示し、ウインドウＷ９のＩＤは患者Ｂを示している場合）、たとえば、表示制御部６２４は、表示画面６３ａに患者ＩＤが異なる旨の警告を表示する。そして、入力部６１からウインドウＷ８を閉じる旨の指示入力があると、表示制御部６２４は、ウインドウＷ８の表示を終了させ、且つウインドウＷ９を表示画面６３ａに表示させる（図１４Ｂ参照）。この処理は、複数のウインドウが順次表示される場合には、その都度行われることが望ましい。なお、患者ＩＤが異なる場合に警告を出す代わりに、表示制御部６２４は、いずれかのウインドウの表示位置や表示サイズを変えて表示させることも可能である。このように、ウインドウの表示態様を変更することにより、医師等は、表示されたウインドウが異なる患者のものであるかを容易に把握することができる。
【０１５５】
［動作］
次に、図１５を参照して、本実施形態に係る電子カルテ装置６の動作について説明する。
【０１５６】
まず、表示画面６３ａにウインドウＷ８が表示されている状態において、入力部６１等から新たなウインドウＷ９を表示させるよう指示入力がなされる（Ｓ５０）。
【０１５７】
判断部６２５は、ウインドウＷ８に関連付けられた患者ＩＤとウインドウＷ９に関連付けられた患者ＩＤが同一の患者を示すものであるかどうかを判断する（Ｓ５１）。
【０１５８】
判断部６２５によって、患者ＩＤが異なると判断された場合（Ｓ５１でＮの場合）、表示制御部６２４は、表示画面６３ａに患者ＩＤが異なる旨の警告を表示する（Ｓ５２）。医師等は、当該警告基づいて、いずれかのウインドウを閉じるかどうかを判断することができる（Ｓ５３）。
【０１５９】
入力部６１からウインドウＷ８を閉じる旨の指示入力があると（Ｓ５３でＹの場合）、表示制御部６２４は、ウインドウＷ８の表示を終了させ、且つウインドウＷ９を表示画面６３ａに表示させる（Ｓ５４）。逆に、入力部６１からウインドウＷ８を閉じない旨の指示入力があると（Ｓ５３でＮの場合）、表示制御部６２４は、ウインドウＷ８を表示させたまま、異なる患者ＩＤのウインドウＷ９を表示させる（Ｓ５５）。
【０１６０】
一方、判断部６２５によって、患者ＩＤが同一であると判断された場合（Ｓ５１でＹの場合）、表示制御部６２４は、ウインドウＷ８とウインドウＷ９とを表示画面６３ａに表示させる（Ｓ５６）。このとき、たとえば第１実施形態における処理を行うことにより、表示条件が調整されたウインドウＷ８及びウインドウＷ９を表示画面６３ａに表示させることができる。
【０１６１】
上記構成（判定部６２５及び表示制御部６２４）をレポート作成装置４や画像閲覧装置７等に設けることも可能である。この場合、レポート作成装置４或いは画像閲覧装置７における当該構成が、「医用情報閲覧装置」の一例となる。
【０１６２】
［作用・効果］
第４実施形態に係る医用情報閲覧装置の作用及び効果について説明する。
【０１６３】
医用情報閲覧装置は、判断部６２５を更に有する。判断部６２５は、表示画面６３ａに第１ウインドウが表示された状態で、その表示画面６３ａに第２ウインドウも表示させるときに、第１ウインドウに関連付けられた識別情報と第２ウインドウに関連付けられた識別情報とが異なるか否かを判断する。表示制御部６２４は、識別情報が異なると判断された場合に、第１ウインドウの表示を終了させ、且つ第２ウインドウを表示させる。
【０１６４】
このように、患者ＩＤ等の識別情報が異なるウインドウを表示させる指示がなされた場合には、先に表示されたウインドウを閉じることにより、閉じ忘れを防止することができる。よって、表示画面に複数のウインドウを表示させて行う読影や診断等の効率化を図ることが可能となる。
【０１６５】
＜実施形態に共通の効果＞
以上述べた少なくともひとつの実施形態の構成によれば、第１判定部６２３ａが、第１ウインドウの表示領域及び第２ウインドウの表示条件に基づいて、表示画面６３ａに第２ウインドウを表示可能な領域があるか否かを判定する。そして、調整部６２３ｂが、第１ウインドウ及び第２ウインドウが表示画面６３ａに表示されるように、第１ウインドウ及び／又は第２ウインドウの表示条件を自動で調整することにより、新たなウインドウを表示させる度に手動でウインドウの表示サイズ等を調整する必要がない。よって、表示画面に複数のウインドウを表示させて行う読影や診断等の効率化を図ることが可能となる。
【０１６６】
＜第５実施形態＞
上記の第１〜第４実施形態では、第１ウインドウ及第２ウインドウの表示条件を調整することにより、各ウインドウの表示領域が表示され、その結果、表示領域に表示される医用情報が認識されよって、読影や診断等の効率化を図るものを示した。「表示条件」としては、ウインドウの表示サイズ、表示形式、表示位置、及び、ウインドウの開閉が含まれる。
【０１６７】
しかし、表示領域に表示される医用情報が認識されるためには、各ウインドウの表示条件を調整する場合に限らない。例えば、ウインドウの表示条件の調整と共に、または、その調整と独立して、表示領域に表示される医用情報の全部または一部の位置を調整してもよい。
【０１６８】
次に、図１６〜図１８を参照して、第５実施形態に係る医用情報閲覧装置（電子カルテ装置６の一部）の構成について説明する。第１実施形態から第４実施形態と同様の構成については、詳細な説明を省略する場合がある。
【０１６９】
前述する第１実施形態では、例えば、第１ウインドウと第２ウインドウとが重畳される重畳領域が生じ（重畳表示という）、このとき、重畳領域に示される医用情報を確認し難くなる。このとき、第２判定部６２３ｃは、重畳表示が不可能と判断する。調整部６２３ｂは、重畳表示が不可能と判定された場合に、最小表示サイズの情報に基づき、各ウインドウを最小表示サイズにする。例えば、調整部６２３ｂは、血液検査情報のウインドウ及び病理検査情報のウインドウが等しい大きさになるよう縮小させる調整を行う。表示制御部６２４は、調整部６２３ｂによる調整結果に基づいて、血液検査情報のウインドウ及び病理検査情報のウインドウを表示画面に表示させる。
【０１７０】
（調整部、表示制御部）
第５実施形態では、調整部６２３ｂは、重畳表示が不可能と判定された場合に、第１ウインドウ及び第２ウインドウの表示領域の少なくとも一方の表示領域に表示される医用情報の全部または一部の位置を調整する。
【０１７１】
表示制御部６２４は、調整部６２３ｂによる調整結果に基づいて、その全部または一部の位置が調整された医用情報を表示画面に表示させる。なお、「医用情報の一部」とは、表示領域に表示されることが予定された医用情報の中から予め定められた条件に基づき抜き出された部分をいう。さらに、「医用情報の全部または一部の位置」を単に、「医用情報の位置」という場合がある。
【０１７２】
ここで、「予め定められた条件」は、例えば、医用情報に優先度が予め定められ、予め定められた優先度に関するテーブル情報が記憶部（図示なし）に記憶される。テーブル情報は、調整部６２３ｂにより医用情報の位置が調整されるとき、記憶部から読み出される。
【０１７３】
さらに、調整部６２３ｂは、ウインドウの表示サイズの調整と共に、医用情報の位置を調整する。ここで、「ウインドウの表示サイズ」には、当該ウインドに関し予め定められた表示サイズの他に、特別に定められた表示サイズが含まれる。「特別に定められた表示サイズ」とは、例えば、表示画面の空き領域の大きさや形に応じて用意される。さらに、調整部６２３ｂは、医用情報が認識することが可能なように、医用情報の位置を調整する。
【０１７４】
［動作］
次に、図１６〜図１８を参照して、本実施形態に係る医用情報閲覧装置の動作について説明する。
【０１７５】
図１６は、重畳表示の一例を示す図である。図１６には、内視鏡検査情報のウインドウと読影レポートのウインドウの表示領域とが重畳されることにより、医用情報の一部である「患者の氏名」が視認できない重畳表示の一例を示している。「どうしても医用情報を表示できない領域」を図１６に“Ａ１”で示す。
【０１７６】
このようなとき、第２判定部６２３ｃは、重畳表示が不可能と判断する。調整部６２３ｂは、重畳表示が不可能と判定された場合に、調整部６２３ｂは、ウインドウの表示サイズの調整と共に、医用情報の位置を調整する。
【０１７７】
図１７は、表示画面の空き領域に対応するウインドウの表示サイズ及びそのウインドウに移動すべき医用情報の一例を示す図である。
【０１７８】
図１７に示す表示画面の空き領域は、内視鏡検査情報のウインドウ、ＣＴ検査情報のウインドウ、及び、病理検査情報のウインドウに囲まれた領域である。
【０１７９】
調整部６２３ｂは、表示画面の空き領域に対応するウインドウの表示サイズを定め、かつ、そのウインドウに移動すべき医用情報の一部、ここでは、患者の氏名及び検査結果（検査日を含む）を定める。このように定められた表示サイズ及び医用情報の一部が調整部６２３ｂによる調整結果となる。「代替として作られたインラインフレーム（Ｉｎｌｉｎｅ  Ｆｒａｍｅ）の新たなウインドウ」を図１７に”Ｂ１“で示す。
【０１８０】
図１８は、表示画面の空き領域に表示されたウインドウ及びその表示領域に表示された医用情報の一例を示す図である。
【０１８１】
図１８に示すように、表示制御部６２４は、調整部６２３ｂによる調整結果に基づいて、医用情報の一部を表示画面に表示させる。その結果、読影レポートのウインドウに患者の氏名及び検査結果が認識可能に表示される。それにより、読影や診断等の効率化を図ることが可能となる。「医用情報が表示できるようになった領域」を図１８に“Ｃ１”で示す。
【０１８２】
なお、この実施形態では、調整部６２３ｂがウインドウの表示サイズの調整と共に、医用情報の位置を調整するものを示したが、調整部６２３ｂは、ウインドウの表示サイズの調整とは独立して、医用情報の位置を調整してもよい。
さらに、実施形態では、調整部６２３ｂが医用情報の一部の位置を移動させるものを示したが、医用情報の全部の位置を移動させてもよい。
【０１８３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１８４】
１  医用情報システム
２  医用画像撮影装置
３  医用検査装置
４  レポート作成装置
５  病理診断装置
６  電子カルテ装置
７  画像閲覧装置
８  医用情報保管装置
６１  入力部
６２  ＣＰＵ
６３  表示部
６２１  取得部
６２２  電子カルテ作成部
６２３  処理部
６２３ａ  第１判定部
６２３ｂ  調整部
６２４  表示制御部
６２４ａ  サムネイル生成部
【図１】
2013218675.tif 000003
【図２】
2013218675.tif 000004
【図３Ａ】
2013218675.tif 000005
【図３Ｂ】
2013218675.tif 000006
【図３Ｃ】
2013218675.tif 000007
【図３Ｄ】
2013218675.tif 000008
【図３Ｅ】
2013218675.tif 000009
【図３Ｆ】
2013218675.tif 000010
【図３Ｇ】
2013218675.tif 000011
【図３Ｈ】
2013218675.tif 000012
【図３Ｉ】
2013218675.tif 000013
【図３Ｊ】
2013218675.tif 000014
【図４Ａ】
2013218675.tif 000015
【図４Ｂ】
2013218675.tif 000016
【図５】
2013218675.tif 000017
【図６】
2013218675.tif 000018
【図７Ａ】
2013218675.tif 000019
【図７Ｂ】
2013218675.tif 000020
【図７Ｃ】
2013218675.tif 000021
【図７Ｄ】
2013218675.tif 000022
【図７Ｅ】
2013218675.tif 000023
【図７Ｆ】
2013218675.tif 000024
【図７Ｇ】
2013218675.tif 000025
【図７Ｈ】
2013218675.tif 000026
【図８】
2013218675.tif 000027
【図９】
2013218675.tif 000028
【図１０】
2013218675.tif 000029
【図１１Ａ】
2013218675.tif 000030
【図１１Ｂ】
2013218675.tif 000031
【図１１Ｃ】
2013218675.tif 000032
【図１１Ｄ】
2013218675.tif 000033
【図１２】
2013218675.tif 000034
【図１３】
2013218675.tif 000035
【図１４Ａ】
2013218675.tif 000036
【図１４Ｂ】
2013218675.tif 000037
【図１５】
2013218675.tif 000038
【図１６】
2013218675.tif 000039
【図１７】
2013218675.tif 000040
【図１８】
2013218675.tif 000041